(57)【要約】【課題】表示対象を立体表示するための画素値の設定を簡易にする。【解決手段】表示装置は、第１表示面及び第２表示面がそれぞれ表示する画像情報の両眼視差により立体表示される表示対象の奥行き位置に基づいて、第１表示面が有する２次元に配列された複数の画素のうち、表示対象の輪郭部を表示する輪郭画素の画素値を補正する輪郭補正部を備える。【選択図】図１
2014090395.tif 000002
【特許請求の範囲】
【請求項１】
第１表示面及び第２表示面がそれぞれ表示する画像情報の両眼視差により立体表示される表示対象の奥行き位置に基づいて、前記第１表示面が有する２次元に配列された複数の画素のうち、前記表示対象の輪郭部を表示する輪郭画素の画素値を補正する輪郭補正部
を備えることを特徴とする表示装置。
【請求項２】
前記画素値とは、前記画素の輝度値であって、
前記輪郭補正部は、
立体表示される前記表示対象の奥行き位置に基づいて、前記輪郭画素の輝度値を補正する
ことを特徴とする請求項１に記載の表示装置。
【請求項３】
前記輪郭補正部は、
立体表示される前記表示対象の各部の奥行き位置に基づいて、前記表示対象の各部に対応する前記輪郭画素の画素毎に前記画素値を補正する
ことを特徴とする請求項１または請求項２に記載の表示装置。
【請求項４】
前記輪郭補正部は、
前記輪郭画素の明るさと、前記第１表示面が有する各画素のうち前記輪郭画素以外の非輪郭画素の明るさとに基づいて、前記輪郭画素の画素値を補正する
ことを特徴とする請求項１から請求項３のいずれか一項に記載の表示装置。
【請求項５】
前記輪郭補正部は、
前記輪郭画素の明るさを、前記第１表示面が有する各画素のうち前記輪郭画素以外の非輪郭画素の明るさよりも暗くして、前記輪郭画素の画素値を補正する
ことを特徴とする請求項４に記載の表示装置。
【請求項６】
前記輪郭補正部は、
前記輪郭画素の明るさを、前記第１表示面が有する各画素のうち前記輪郭画素以外の非輪郭画素の明るさよりも明るくして、前記輪郭画素の画素値を補正する
ことを特徴とする請求項４に記載の表示装置。
【請求項７】
前記輪郭補正部は、
立体表示される前記表示対象の奥行き位置に基づいて、前記第１表示面が有する各画素のうち前記表示対象の輪郭部に対応する輪郭画素の画素値を補正するとともに、前記第２表示面が有する各画素のうち前記表示対象の輪郭部に対応する輪郭画素の画素値を補正する
ことを特徴とする請求項１から請求項６のいずれか一項に記載の表示装置。
【請求項８】
第１の画像情報を表示する第１表示部と、
第２の画像情報を表示する第２表示部と、
前記第１表示部が表示する前記第１の画像情報と、前記第２表示部が表示する前記第２の画像情報との両眼視差により立体表示される前記表示対象の奥行き位置に基づいて、前記第１表示部が有する２次元に配列された複数の画素のうち、前記表示対象の輪郭部を表示する輪郭画素の画素値を補正する輪郭補正部と
を備えることを特徴とする表示装置。
【請求項９】
コンピュータに、
第１表示面及び第２表示面に表示される表示対象が、両眼視差により立体表示される前記表示対象の奥行き位置に基づいて、前記第１表示面が有する２次元に配列された複数の画素のうち、前記表示対象の輪郭部を表示する輪郭画素の画素値を補正する輪郭補正手順
を実行させるためのプログラム。
【請求項１０】
コンピュータに、
表示対象を示す第１の画像情報を表示する第１表示手順と、
前記表示対象を示す第２の画像情報を表示する第２表示手順と、
前記第１表示手順によって表示される前記第１の画像情報、および前記第２表示手順によって表示される前記第２の画像情報が示す前記表示対象が、両眼視差により立体表示される前記表示対象の奥行き位置に基づいて、前記第１の画像情報を構成する２次元に配列された複数の画素のうち、前記表示対象の輪郭部を表示する輪郭画素の画素値を補正する輪郭補正手順と
を実行させるためのプログラム。
【発明の詳細な説明】
【技術分野】
【０００１】
本発明は、表示装置及びプログラムに関する。
【背景技術】
【０００２】
近年、例えば、立体像（３次元画像）の奥行き位置に応じた画素値（例えば、明るさ、輝度、色相、彩度）の比を付けた複数の画像を、奥行き位置の異なる複数の表示面に表示させることによって、これら複数の画像を観察した観察者に立体像を認識させる表示方法が知られている（例えば、特許文献１を参照）。
【先行技術文献】
【特許文献】
【０００３】
【特許文献１】特許第３４６４６３３号公報
【発明の概要】
【発明が解決しようとする課題】
【０００４】
しかしながら、上記のような表示方法によっては、これら複数の画像の画素値を、画像間において精密に対応させなければ、観察者が表示対象を立体像（３次元画像）として認識することができないことがある。この場合、上記のような表示方法には、表示対象を立体表示するための画素値の設定を簡易にすることができないという問題があった。
【０００５】
本発明は、上記問題を解決すべくなされたもので、その目的は、表示対象を立体表示するための画素値の設定を簡易にすることができる表示装置を提供することにある。
【課題を解決するための手段】
【０００６】
本発明の一実施形態は、第１表示面及び第２表示面がそれぞれ表示する画像情報の両眼視差により立体表示される表示対象の奥行き位置に基づいて、前記第１表示面が有する２次元に配列された複数の画素のうち、前記表示対象の輪郭部を表示する輪郭画素の画素値を補正する輪郭補正部を備えることを特徴とする表示装置である。
【０００７】
本発明の一実施形態は、第１の画像情報を表示する第１表示部と、第２の画像情報を表示する第２表示部と、前記第１表示部が表示する前記第１の画像情報と、前記第２表示部が表示する前記第２の画像情報との両眼視差により立体表示される前記表示対象の奥行き位置に基づいて、前記第１表示部が有する２次元に配列された複数の画素のうち、前記表示対象の輪郭部を表示する輪郭画素の画素値を補正する輪郭補正部とを備えることを特徴とする表示装置である。
【０００８】
また、本発明の一実施形態は、コンピュータに、第１表示面及び第２表示面に表示される表示対象が、両眼視差により立体表示される前記表示対象の奥行き位置に基づいて、前記第１表示面が有する２次元に配列された複数の画素のうち、前記表示対象の輪郭部を表示する輪郭画素の画素値を補正する輪郭補正手順を実行させるためのプログラムである。
【０００９】
また、本発明の一実施形態は、コンピュータに、表示対象を示す第１の画像情報を表示する第１表示手順と、前記表示対象を示す第２の画像情報を表示する第２表示手順と、前記第１表示手順によって表示される前記第１の画像情報、および前記第２表示手順によって表示される前記第２の画像情報が示す前記表示対象が、両眼視差により立体表示される前記表示対象の奥行き位置に基づいて、前記第１の画像情報を構成する２次元に配列された複数の画素のうち、前記表示対象の輪郭部を表示する輪郭画素の画素値を補正する輪郭補正手順とを実行させるためのプログラムである。
【発明の効果】
【００１０】
この発明によれば、表示対象を立体表示するための画素値の設定を簡易にすることができる。
【図面の簡単な説明】
【００１１】
【図１】本実施形態における表示装置を含む表示システムの構成の一例を示す構成図である。
【図２】本実施形態の第２表示部が備える第２表示面の構成の一例を示す模式図である。
【図３】本実施形態の第２表示面が表示する第２の画像情報の一例を示す模式図である。
【図４】本実施形態の第２表示部が取得する第２画素値情報の一例を示す表である。
【図５】本実施形態の第１表示部が備える第１表示面の構成の一例を示す模式図である。
【図６】本実施形態の輪郭補正部が取得する第１画素値情報の一例を示す表である。
【図７】本実施形態の輪郭補正部が取得する奥行き位置情報の一例を示す表である。
【図８】本実施形態の表示装置が表示する表示対象の奥行き位置の一例について示す構成図である。
【図９】本実施形態の輪郭補正部が取得する輪郭部情報の一例を示す表である。
【図１０】本実施形態の輪郭補正部が第３画像情報を生成する構成の一例を示す表である。
【図１１】本実施形態の第１表示部が表示する第１画像情報の一例を示す模式図である。
【図１２】本実施形態における第１表示面と、第２表示面との位置関係の一例を示す模式図である。
【図１３】本実施形態における光学像の一例を示す模式図である。
【図１４】本実施形態における光学像の明るさの分布の一例を示すグラフである。
【図１５】本実施形態における左眼と右眼とに生じる両眼視差の一例を示すグラフである。
【図１６】本実施形態の表示装置の動作の一例を示すフローチャートである。
【発明を実施するための形態】
【００１２】
［第１の実施形態]
以下、図面を参照して、本発明の第１の実施形態を説明する。
図１は、本実施形態における表示装置１０を含む表示システム１００の構成の一例を示す構成図である。本実施形態の表示システム１００は、画像情報供給装置２と、表示装置１０とを備えている。以下、各図の説明においてはＸＹＺ直交座標系を設定し、このＸＹＺ直交座標系を参照しつつ各部の位置関係について説明する。表示装置１０が画像を表示している方向をＺ軸の正の方向とし、当該Ｚ軸方向に垂直な平面上の直交方向をそれぞれＸ軸方向及びＹ軸方向とする。ここでは、Ｘ軸方向は、表示装置１０の水平方向とし、Ｙ軸方向は表示装置１０の鉛直方向とする。
【００１３】
画像情報供給装置２は、第１画像信号と第２画像信号とを表示装置１０に供給する。ここで、第１画像信号とは、表示装置１０が第１の画像情報Ｐ１１を表示するための情報である。また、第２画像信号とは、表示装置１０が第２の画像情報Ｐ１２を表示するための情報である。
【００１４】
表示装置１０は、第１表示部１１と、第２表示部１２と、輪郭補正部１３とを備えている。まず、第２表示部１２について説明する。
第２表示部１２は、（＋Ｚ）方向に光を透過させる透過型表示部である。第２表示部１２は、第１表示部１１の第１表示面１１０に表示される画像情報の光束（第１光束Ｒ１１）を（＋Ｚ）方向に透過させる。また、第２表示部１２は、（＋Ｚ）方向に向けて画像情報を表示する第２表示面１２０を備えている。この第２表示面１２０の構成の一例について、図２を参照して説明する。
【００１５】
図２は、本実施形態の第２表示部１２が備える第２表示面１２０の構成の一例を示す模式図である。この第２表示面１２０は、Ｘ軸方向およびＹ軸方向に２次元に配列された画素を有している。一例として、この第２表示面１２０は、Ｘ軸方向に８画素、Ｙ軸方向に８画素の２次元に配列された画素を有している。なお、第２表示面１２０が有する画素の配列の構成はこれに限られない。例えば、第２表示面１２０は、Ｘ軸方向に１９２０画素、Ｙ軸方向に１０８０画素の２次元に配列された画素を有していてもよい。
【００１６】
第２表示面１２０は、観察者１が（−Ｚ）方向に第２表示面１２０を見込んだ状態における左上隅の画素を原点Ｏにして、原点Ｏから（＋Ｙ）方向に画素Ｐｘ２１１〜画素Ｐｘ２１８を有する。また、第２表示面１２０は、原点Ｏから（＋Ｘ）方向に１画素分だけずれた位置から（＋Ｙ）方向に画素Ｐｘ２２１〜画素Ｐｘ２２８を有する。同様にして、第２表示面１２０は、画素Ｐｘ２３１〜画素Ｐｘ２８８を有する。
【００１７】
再び、図１を参照して、第２表示部１２の説明を続ける。
この第２表示部１２は、画像情報供給装置２から供給される第２画像信号を取得する。第２表示面１２０は、第２表示部１２が取得した第２画像信号に基づいて、第２の画像情報Ｐ１２を表示する。この第２画像信号には、第２表示面１２０の各画素の画素値を示す第２画素値情報が含まれている。第２表示面１２０は、取得された第２画像信号に含まれる第２画素値情報に基づいて、各画素の画素値を制御して第２の画像情報Ｐ１２を表示する。この第２の画像情報Ｐ１２を表示する第２表示面１２０から発せられる第２光束Ｒ１２は、所定の位置にいる観察者１に第２の画像情報Ｐ１２の光学像として観察される。この第２表示面１２０が表示する第２の画像情報Ｐ１２の一例について、図３を参照して説明する。
【００１８】
図３は、本実施形態の第２表示面１２０が表示する第２の画像情報Ｐ１２の一例を示す模式図である。上述したように、第２表示面１２０は第２の画像情報Ｐ１２を表示する。この第２の画像情報Ｐ１２には、表示対象ＯＢＪ２の画像情報が含まれている。なお、以下の図面において画像を示す場合には、便宜上、画像情報の明るさが明るい（例えば、輝度が高い）部分を薄く、画像情報の明るさが暗い（例えば、輝度が低い）部分を濃く示す。また、以下の図面において画像を示す場合には、各画素の位置を明示するため、格子状の実線によって画素の境界を示す。
【００１９】
ここで、表示対象ＯＢＪ２とは、例えば、四角形のパターンである。この四角形のパターンとは、具体的には、画素Ｐｘ２３３、画素Ｐｘ２３６、画素Ｐｘ２６６、および画素Ｐｘ２６３を頂点にした４辺によって囲まれる領域を示すパターンである。第２表示部１２は、これらの４辺によって囲まれる領域、つまり表示対象ＯＢＪ２の表示領域に含まれる画素の明るさを、第２表示面１２０が有する画素のうち、表示対象ＯＢＪ２の表示領域に含まれない画素の明るさよりも暗くして、表示対象ＯＢＪ２を表示する。この第２表示面１２０が表示する表示対象ＯＢＪ２を示す第２画素値情報の一例について、図４を参照して説明する。
【００２０】
図４は、本実施形態の第２表示部１２が取得する第２画素値情報の一例を示す表である。上述したように、第２画像信号には、第２表示面１２０が有する各画素の画素値（例えば、明るさ）を示す第２画素値情報が含まれている。例えば、第２画素値情報が示す画素値は、表示対象ＯＢＪ２が表示される、画素Ｐｘ２３３、画素Ｐｘ２３６、画素Ｐｘ２６６、および画素Ｐｘ２６３を頂点にした４辺によって囲まれる領域の画素値が、他の領域の画素値よりも大きく（例えば、明るく）して設定されている。具体的には、第２画素値情報が示す画素値は、画素Ｐｘ２３３、画素Ｐｘ２３６、画素Ｐｘ２６６、および画素Ｐｘ２６３を頂点にした４辺によって囲まれる領域の画素値がそれぞれ「６３」に、他の領域の画素値が「０」に設定されている。第２表示面１２０は、取得した第２画像信号に含まれる第２画素値情報が示す画素値が「２５５」の場合、その画素値に対応付けられている画素の明るさを最大にして、画像情報を表示する。一方、第２表示面１２０は、取得した第２画像信号に含まれる第２画素値情報が示す画素値が「０」の場合、その画素値に対応付けられている画素の明るさを最小にして、画像情報を表示する。また、第２表示面１２０は、取得した第２画像信号が示す画素値が「１」から「２５４」の場合には、その画素値に対応付けられている画素の明るさを最小から最大の間の画素値に対応する明るさにして、画像情報を表示する。このようにして第２表示面１２０は、図４に示す四角形のパターンを示す第２画素値情報に基づいて、上述した図３に示す四角形のパターンを表示する。
【００２１】
次に、第１表示部１１について説明する。第１表示部１１は、上述した図１に示すように、（＋Ｚ）方向に向けて画像情報を表示する第１表示面１１０を備えている。この第１表示面１１０の構成の一例について、図５を参照して説明する。
【００２２】
図５は、本実施形態の第１表示部１１が備える第１表示面１１０の構成の一例を示す模式図である。上述した第２表示面１２０と同様に、この第１表示面１１０はＸ軸方向およびＹ軸方向に２次元に配列された画素を有している。一例として、この第１表示面１１０は、Ｘ軸方向に８画素、Ｙ軸方向に８画素の２次元に配列された画素を有している。なお、第１表示面１１０が有する画素の配列の構成はこれに限られない。例えば、第１表示面１１０は、Ｘ軸方向に１９２０画素、Ｙ軸方向に１０８０画素の２次元に配列された画素を有していてもよい。
【００２３】
第１表示面１１０は、（−Ｚ）方向に見た左上隅の画素を原点Ｏにして、原点Ｏから（＋Ｙ）方向に画素Ｐｘ１１１〜画素Ｐｘ１１８を有する。また、第１表示面１１０は、原点Ｏから（＋Ｘ）方向に１画素分だけずれた位置から（＋Ｙ）方向に画素Ｐｘ１２１〜画素Ｐｘ１２８を有する。同様にして、第１表示面１１０は、画素Ｐｘ１３１〜画素Ｐｘ１８８を有する。第１表示面１１０は、輪郭補正部１３から出力される第３画像信号に基づく画像情報を表示する。以下、これら輪郭補正部１３および第３画像信号について説明する。
【００２４】
再び、図１を参照して、輪郭補正部１３について説明する。
輪郭補正部１３は、画像情報供給装置２から供給される第１画像信号を取得する。この第１画像信号には、第１表示面１１０の各画素の画素値（例えば、明るさ）を示す第１画素値情報が含まれている。さらに、第１画像信号には、第１表示面１１０及び第２表示面１２０に表示する表示対象を両眼視差により所定の位置に立体表示するための、表示対象の輪郭部を示す輪郭部情報と、奥行き位置情報（例えば、デプスマップ）とが含まれている。これら第１画素値情報、両眼視差、所定の位置、輪郭部情報、および奥行き位置情報については、後述する。
【００２５】
次に、輪郭補正部１３は、取得した第１画像信号に基づいて、第３画像信号を生成し、生成した第３画像信号を第１表示部１１に供給する。ここで、第３画像信号とは、第１画像信号に含まれる第１画素値情報のうち、表示対象ＯＢＪ１の輪郭部に対応する画素の画素値を示す第１画素値情報を補正した画像信号である。すなわち、輪郭補正部１３は、取得した第１画像信号に含まれる第１画素値情報と、奥行き位置情報と、輪郭部情報とに基づいて、表示対象ＯＢＪ１の輪郭部を表示する第１表示部１１の各画素の画素値を補正する。この奥行き位置情報とは、表示対象を立体表示する奥行き位置を示す情報である。また、輪郭部情報とは、表示対象ＯＢＪ１の輪郭部を示す情報である。まず、第１画素値情報について、図６を参照して説明する。
【００２６】
図６は、本実施形態の輪郭補正部１３が取得する第１画素値情報の一例を示す表である。ここで、表示対象ＯＢＪ１とは、表示対象ＯＢＪ２と同様に、例えば、四角形のパターンである。この四角形のパターンとは、具体的には、画素Ｐｘ１３３、画素Ｐｘ１３６、画素Ｐｘ１６６、および画素Ｐｘ１６３を頂点にした４辺によって囲まれる領域を示すパターンである。この第１画素値情報が示す画素値は、表示対象ＯＢＪ１が表示される、画素Ｐｘ１３３、画素Ｐｘ１３６、画素Ｐｘ１６６、および画素Ｐｘ１６３を頂点にした４辺によって囲まれる領域の画素値が、他の領域の画素値よりも大きく（例えば、明るく）して設定されている。具体的には、第１画素値情報が示す画素値は、画素Ｐｘ１３３、画素Ｐｘ１３６、画素Ｐｘ１６６、および画素Ｐｘ１６３を頂点にした４辺によって囲まれる領域の画素値がそれぞれ「６３」に、他の領域の画素値が「０」に設定されている。
【００２７】
次に、奥行き位置情報について、図７を参照して説明する。
図７は、本実施形態の輪郭補正部１３が取得する奥行き位置情報の一例を示す表である。同図に示すように、奥行き位置情報には、表示対象が立体表示される位置である奥行き位置を示す値が、第１表示面１１０の各画素の位置に関連付けられて設定されている。具体的には、表示対象の奥行き位置は、画素Ｐｘ２３３、画素Ｐｘ２３６、画素Ｐｘ２６６、および画素Ｐｘ２６３を頂点にした４辺によって囲まれる領域の奥行き位置がそれぞれ「値Ｄ０」（このＤ０は、０〜２５５の値。）に、他の領域の奥行き位置が「０」に設定されている。次に、この奥行き位置について、図８を参照して説明する。
【００２８】
図８は、本実施形態の表示装置１０が表示する表示対象の奥行き位置の一例について示す構成図である。上述したように、第１表示面１１０は、第１の画像情報Ｐ１１を表示する。この第１表示面１１０は、第１の画像情報Ｐ１１に基づく第１第１光束Ｒ１１を発する。第１表示面１１０から発せられた第１第１光束Ｒ１１は、所定の位置にいる観察者１に第１の画像情報Ｐ１１の光学像として観察される。同様に、第２表示面１２０は、第２の画像情報Ｐ１２を表示する。この第２表示面１２０は、第２の画像情報Ｐ１２に基づく第２第２光束Ｒ１２を発する。第２表示面１２０から発せられた第２第２光束Ｒ１２は、所定の位置にいる観察者１に第２の画像情報Ｐ１２の光学像として観察される。観察者１は、所定の位置において、第１第１光束Ｒ１１と第２第２光束Ｒ１２とを同時に観察することにより、表示対象が立体表示された立体像ＳＩを認識する。この観察者１が立体像ＳＩを認識する仕組みについては、後述する。
【００２９】
ここで、表示対象の奥行き位置とは、観察者１が認識する立体像ＳＩのＺ軸方向（つまり、奥行き方法）の位置である。具体的には、奥行き位置は、第２表示面１２０のＺ軸方向の位置を基準位置として、（＋Ｚ）方向の距離によって示される。この奥行き位置は、基準位置を「０」とし、表示装置１０が立体像ＳＩを表示可能な位置であって、基準位置から最も離れた（＋Ｚ）方向の位置を「２５５」として、（＋Ｚ）方向に２５６段階に設定される。例えば、立体像ＳＩの奥行き位置が「値Ｄ０」に設定されている表示対象を表示装置１０が表示した場合、所定の位置から観察する観察者１は、図８に示すように、基準位置「０」と、奥行き位置「２５５」との中間の位置である、奥行き位置「値Ｄ０」に立体像ＳＩを認識する。
【００３０】
次に、輪郭部情報について、図９を参照して説明する。
図９は、本実施形態の輪郭補正部１３が取得する輪郭部情報の一例を示す表である。同図に示すように、輪郭部情報には、表示対象の輪郭部を示す値が、第１表示面１１０の各画素の位置に関連付けられて設定されている。ここで、表示対象の輪郭部を示す値とは、第１表示面１１０に表示される画像情報のうち、輪郭部が「１」に、輪郭部以外の非輪郭部が「０」に設定される値である。具体的には、表示対象の輪郭部を示す値は、画素Ｐｘ１３３、画素Ｐｘ１３６、画素Ｐｘ１６６、および画素Ｐｘ１６３を頂点にした４辺を含む領域が「１」に、他の領域が「０」に設定されている。つまり、輪郭部情報は、輪郭補正部１３が取得する第１画素値情報によって示される四角形のパターンの各辺に対応する画素の位置が「１」に設定されている。すなわち、輪郭部情報とは、第１表示面１１０に表示される表示対象の輪郭部（エッジ部分、稜線部分）を示す情報である。ここで、輪郭部とは、（単に輪郭、又は輪郭領域と表現してもよい）とは、例えば、画像情報内において隣接する又は近傍の画素の明るさ（例えば、輝度）が急変する部分である。例えば、輪郭部は、図３に示す四角形のパターンの各辺の、幅が無い理論的な線分を示すとともに、例えば、第１表示面１１０の解像度に応じた有限の幅を有する輪郭周囲の領域をも示している。
【００３１】
次に、輪郭補正部１３が第１画像信号に基づいて、第３画像信号を生成する構成について、図１０を参照して説明する。
図１０は、本実施形態の輪郭補正部１３が第３画像情報を生成する構成の一例を示す表である。輪郭補正部１３は、取得した第１画像信号に含まれる、第１画素値情報と、奥行き位置情報と、輪郭部情報とに基づいて、第３画像情報を生成する。具体的には、まず輪郭補正部１３は、取得した第１画像信号から輪郭部情報と、奥行き位置情報とを抽出する。次に、輪郭補正部１３は、抽出した輪郭部情報と、抽出した奥行き位置情報とに基づいて所定の演算を行い、所定の演算結果としての補正情報を生成する。
【００３２】
例えば、輪郭補正部１３は、抽出した輪郭部情報と、抽出した奥行き位置情報との論理積演算を行って、奥行き位置情報のうち、輪郭部の奥行き位置情報が設定されている輪郭部の奥行き位置情報を生成する（図１０（ａ））。次に、輪郭補正部１３は、生成した輪郭部の奥行き位置情報に所定の演算をした補正情報（ここでは、一例として、値ｄ０）を生成する。例えば、輪郭補正部１３は、生成した輪郭部の奥行き位置情報（値Ｄ０）に所定の係数を乗算して、補正情報（値ｄ０）を生成する（図１０（ｂ））。
【００３３】
次に、輪郭補正部１３は、取得した第１画像信号から第１画素値情報を抽出して、抽出した第１画素値情報（値６３）と、生成した補正情報（値ｄ０）とを演算（例えば、値６３から値ｄ０を減算）して、輪郭補正情報を生成する（図１０（ｃ））。ここで、輪郭補正部１３は、輪郭補正情報が示す各画素値が０〜２５５の整数になるように、例えば、演算の結果の小数点以下を切り捨てる。すなわち、輪郭補正部１３は、所定の位置に立体表示される表示対象の奥行き位置に基づいて、第１表示部１１が有する２次元に配列された複数の画素のうち、表示対象の輪郭部を表示する輪郭画素の画素値を補正する。輪郭補正部１３は、このようにして生成した輪郭補正情報を含む第３画像信号を生成する。
【００３４】
次に、輪郭補正部１３が生成した第３画像信号に基づいて、第１表示部１１が表示する構成ついて説明する。
第１表示部１１は、輪郭補正部１３が生成した第３画像信号を取得する。第１表示部１１は、取得した第３画像信号に含まれる第３画素値情報が示す画素値が「２５５」の場合、その画素値に対応付けられている画素の明るさを最大にして、画像情報を表示する。一方、第１表示部１１は、取得した第３画像信号に含まれる第３画素値情報が示す画素値が「０」の場合、その画素値に対応付けられている画素の明るさを最小にして、画像情報を表示する。また、第１表示部１１は、取得した第３画像信号が示す画素値が「１」から「２５４」の場合には、その画素値に対応付けられている画素の明るさを最小から最大の間の画素値に対応する明るさにして、画像情報を表示する。この第１表示部１１が表示する第１の画像情報Ｐ１１について、図１１を参照して説明する。
【００３５】
図１１は、本実施形態の第１表示部１１が表示する第１の画像情報Ｐ１１の一例を示す模式図である。同図に示すように、第１表示部１１は、第２表示部１２が表示する四角形のパターンに対応する四角形のパターンであって、その輪郭部の明るさが四角形のパターンの内部に比して暗く設定されている四角形のパターンを、第１表示面１１０に表示する。
【００３６】
次に、図１２〜図１５を参照して、表示装置１０が、表示対象を立体像ＳＩとして立体表示する構成について説明する。まず、図１２を参照して、第１表示面１１０が表示する第１の画像情報Ｐ１１の位置と、第２表示面１２０が表示する第２の画像情報Ｐ１２位置と、観察者１がこれらの画像情報を観察する所定の位置との関係について説明する。
【００３７】
図１２は、本実施形態における第１表示面１１０と、第２表示面１２０との位置関係の一例を示す模式図である。
第１表示部１１の第１表示面１１０は、第１の画像情報Ｐ１１を表示する。第２表示部１２の第２表示面１２０は、第１の画像情報Ｐ１１が表示される位置から（＋Ｚ）方向に所定の距離Ｌｐだけ離れている位置に第２の画像情報Ｐ１２を表示する。上述したように第２表示部１２は、Ｚ軸方向に光を透過させる透過型表示部である。このため、第１の画像情報Ｐ１１を表示する第１表示面１１０から発せられる光束（第１光束Ｒ１１）は、第２表示部１２を透過して、観察者１に観察される。また、第２の画像情報Ｐ１２を表示する第２表示面１２０から発せられる光束（第２光束Ｒ１２）は、そのまま観察者１に観察される。つまり、観察者１は、第１の画像情報Ｐ１１と第２の画像情報Ｐ１２とを重ねて観察する。ここで、所定の距離Ｌｐとは、第１の画像情報Ｐ１１が表示されているＺ軸方向の位置と、第２の画像情報Ｐ１２が表示されているＺ軸方向の位置の間の距離である。この所定の距離Ｌｐは、例えば、第１の画像情報Ｐ１１が表示されているＺ軸方向の位置と、観察者１の所定の位置とに基づいて予め定められる。
【００３８】
また、図１２に示すように、表示装置１０は、第１表示面１１０が表示する第１の画像情報Ｐ１１内の輪郭部ＲＬ１Ｌと、第２表示面１２０が表示する第２の画像情報Ｐ１２内の、輪郭部ＲＬ１Ｌに対応している輪郭部ＲＬ２Ｌとが、観察者１に対応して観察されるように、第１の画像情報Ｐ１１および第２の画像情報Ｐ１２を表示する。同様に、表示装置１０は、第１表示面１１０が表示する第１の画像情報Ｐ１１内の輪郭部ＲＬ１Ｒと、第２表示面１２０が表示する第２の画像情報Ｐ１２内の、輪郭部ＲＬ１Ｒに対応している輪郭部ＲＬ２Ｒとが、観察者１に対応して観察されるように、第１の画像情報Ｐ１１および第２の画像情報Ｐ１２を表示する。
【００３９】
このとき、表示装置１０は、観察者１の左眼Ｌに、第１の画像情報Ｐ１１によって示される四角形の輪郭部ＲＬ２Ｌの（−Ｘ）側（つまり、四角形の外側）に、輪郭部ＲＬ２Ｌと輪郭部ＲＬ１Ｌとが重なって観察されるように各画像を表示する。また、表示装置１０は、観察者１の左眼Ｌに、第１の画像情報Ｐ１１によって示される四角形の輪郭部ＲＬ２Ｒの（−Ｘ）側（つまり、四角形の内側）に、輪郭部ＲＬ２Ｒと輪郭部ＲＬ１Ｒとが重なって観察されるように各画像を表示する。同様に、例えば、表示装置１０は、観察者１の右眼Ｒに、第１の画像情報Ｐ１１によって示される四角形の輪郭部ＲＬ２Ｒの（＋Ｘ）側（つまり、四角形の外側）に、輪郭部ＲＬ２Ｒと輪郭部ＲＬ１Ｒとが重なって観察されるように各画像を表示する。また、表示装置１０は、観察者１の右眼Ｒに、第１の画像情報Ｐ１１によって示される四角形の輪郭部ＲＬ２Ｌの（＋Ｘ）側（つまり、四角形の内側）に、輪郭部ＲＬ２Ｌと輪郭部ＲＬ１Ｌが重なって観察されるように各画像を表示する。
【００４０】
次に、観察者１によって、第１の画像情報Ｐ１１と第２の画像情報Ｐ１２とから立体像ＳＩ（３次元画像）が認識される仕組みについて説明する。まず、観察者１が、第１の画像情報Ｐ１１が表示する表示対象ＯＢＪ１の輪郭部と、第２の画像情報Ｐ１２が表示する表示対象ＯＢＪ２の輪郭部とが対応する（重なる）所定の位置において、これらの画像情報を観察する。そうすると、観察者１は、第１の画像情報Ｐ１１が表示する表示対象ＯＢＪ１の輪郭部と、第２の画像情報Ｐ１２が表示する表示対象ＯＢＪ２の輪郭部との明るさの比（例えば、輝度比）に応じた奥行き位置に表示対象の光学像ＩＭを知覚する。このとき、表示対象（例えば、四角形のパターン）を観察したとき、観察者１の網膜像上では認識できないくらいの微小な輝度の段差ができる。このような場合においては、明るさ（例えば、輝度）の段差間に仮想的な輪郭（エッジ）を知覚して１つの物体として認識する。このとき、左眼Ｌと右眼Ｒとで仮想的な輪郭に少しだけずれが生じて両眼視差として知覚して奥行き位置が変化する。この仕組みについて、図１３〜図１５を参照して、詳細に説明する。
【００４１】
図１３は、本実施形態における光学像ＩＭの一例を示す模式図である。ここで、光学像ＩＭとは、第１の画像情報Ｐ１１及び第２の画像情報Ｐ１２が観察者１によって観察される画像である。まず、観察者の左眼Ｌに観察される光学像ＩＭＬについて説明する。
【００４２】
図１３に示すように、観察者の左眼Ｌにおいては、第１の画像情報Ｐ１１Ｌと、第２の画像情報Ｐ１２Ｌとが合成された光学像ＩＭＬが結像する。ここで、第１の画像情報Ｐ１１Ｌとは、第１の画像情報Ｐ１１のうち、観察者１の左眼Ｌに観察される画像情報である。また、第２の画像情報Ｐ１２Ｌとは、第２の画像情報Ｐ１２のうち、観察者１の左眼Ｌに観察される画像情報である。図１１を参照して説明したように、左眼Ｌにおいては、第１の画像情報Ｐ１１によって示される四角形の輪郭部ＲＬ２Ｌの（−Ｘ）側（つまり、四角形の外側）に、輪郭部ＲＬ２Ｌを示す画像と輪郭部ＲＬ１Ｌとが合成された光学像ＩＭＬが結像する。また、左眼Ｌにおいては、第１の画像情報Ｐ１１によって示される四角形の輪郭部ＲＬ２Ｒの（−Ｘ）側（つまり、四角形の内側）に、輪郭部ＲＬ２Ｒを示す画像と輪郭部ＲＬ１Ｒとが合成された光学像ＩＭＬが結像する。
【００４３】
次に、図１３の場合において、左眼Ｌに観察されている光学像ＩＭＬの明るさの分布について、図１４を参照して説明する。
図１４は、本実施形態における光学像ＩＭの明るさの分布の一例を示すグラフである。図１４において、Ｘ座標Ｘ１〜Ｘ６は、光学像ＩＭの明るさの変化点に対応するＸ座標である。画像情報の画素値の一例として、輝度値ＢＲの場合について説明する。また、左眼Ｌに観察される第２の画像情報Ｐ１２Ｌの明るさは、Ｘ座標Ｘ１〜Ｘ２において、ここではゼロとして説明する。また、第２の画像情報Ｐ１２Ｌの明るさは、Ｘ座標Ｘ２〜Ｘ６において輝度値ＢＲ２（例えば、「６３」）である。左眼Ｌに観察される第１の画像情報Ｐ１１Ｌの明るさは、Ｘ座標Ｘ１〜Ｘ２及びＸ座標Ｘ４〜Ｘ５において輝度値ＢＲ１（例えば、「６１」）であり、Ｘ座標Ｘ２〜Ｘ４において輝度値ＢＲ２である。したがって、左眼Ｌに観察される光学像ＩＭＬの明るさ（例えば、輝度）は、Ｘ座標Ｘ１〜Ｘ２において輝度値ＢＲ１になる。また、光学像ＩＭＬの明るさは、Ｘ座標Ｘ２〜Ｘ４において輝度値ＢＲ４（例えば、「１２６」）になる。また、光学像ＩＭＬの明るさは、Ｘ座標Ｘ４〜Ｘ５において輝度値ＢＲ１と輝度値ＢＲ２とが合成された明るさである輝度値ＢＲ３（例えば、「１２４」）になり、Ｘ座標Ｘ５〜Ｘ６において、輝度値ＢＲ２になる。
【００４４】
次に、観察者１の左眼Ｌに輪郭部が観察される仕組みについて説明する。
図１５は、本実施形態における左眼Ｌと右眼Ｒとに生じる両眼視差の一例を示すグラフである。左眼Ｌの網膜上に結像された光学像ＩＭＬによって、観察者１に認識される画像の明るさの分布は、図１５の波形ＷＬのようになる。ここで、観察者１は、例えば、観察される画像の明るさの変化が最大になる（つまり、波形ＷＬ及び波形ＷＲの傾きが最大になる）Ｘ軸上の位置を、観察している物体の輪郭部であると認識する。本実施形態の場合、観察者１は、例えば、左眼Ｌ側の波形ＷＬについて、図１５に示すＸＥＬの位置（つまり、Ｘ軸の原点Ｏから距離ＬＥＬの位置）を観察している四角形の左辺側の輪郭部であると認識する。
【００４５】
次に、観察者の右眼Ｒに観察される光学像ＩＭＲについての、光学像ＩＭＬとの相違点を説明し、その相違点によって立体像（３次元画像）を認識する仕組みについて説明する。
図１３に示すように、観察者の右眼Ｒにおいては、右眼Ｒに観察される第１の画像情報Ｐ１１Ｒと、右眼Ｒに観察される第２の画像情報Ｐ１２Ｒとが合成された光学像ＩＭＲが結像する。
また、図１４に示すように、右眼Ｒに観察される光学像ＩＭＲの明るさ（例えば、輝度）は、Ｘ座標Ｘ１〜Ｘ３及びＸ座標Ｘ４〜Ｘ６において、左眼Ｌに観察される光学像ＩＭＬの明るさと相違している。
右眼Ｒの網膜上に合成された光学像ＩＭＲによって、観察者１に認識される画像の明るさの分布は、図１５の波形ＷＲのようになる。ここで、観察者１は、例えば、右眼Ｒ側の波形ＷＲについて、図１５に示すＸＥＲの位置（つまり、Ｘ軸の原点Ｏから距離ＬＥＲの位置）を観察している四角形の輪郭部であると認識する。
これにより、観察者１は、左眼Ｌが観察する四角形の輪郭部の位置ＸＥＬと、右眼Ｒが観察する四角形の輪郭部の位置ＸＥＲとを両眼視差として認識する。そして、観察者１は、輪郭部の両眼視差に基づいて四角形の画像を立体像ＳＩ（３次元画像）として認識する。
【００４６】
次に、表示装置１０の動作について、図１６を参照して説明する。
図１６は、本実施形態の表示装置１０の動作の一例を示すフローチャートである。まず、輪郭補正部１３は、画像情報供給装置２から第１画像信号を取得する（ステップＳ１０）。
【００４７】
次に、輪郭補正部１３は、取得した第１画像信号から輪郭部情報を抽出する（ステップＳ２０）。次に、輪郭補正部１３は、取得した第１画像信号から奥行き位置情報を抽出する（ステップＳ３０）。
【００４８】
次に、輪郭補正部１３は、抽出した輪郭部情報と、抽出した奥行き位置情報との論理積演算を行って、奥行き位置情報のうち、輪郭部の奥行き位置情報が設定されている輪郭部の奥行き位置情報を生成する（ステップＳ４０）。
【００４９】
次に、輪郭補正部１３は、生成した輪郭部の奥行き位置情報に所定の演算をした補正情報を生成する（ステップＳ５０）。
【００５０】
次に、輪郭補正部１３は、取得した第１画像信号から第１画素値情報を抽出して、抽出した第１画素値情報と、生成した補正情報とを演算（例えば、減算）して、輪郭補正情報を生成する（ステップＳ６０）。
【００５１】
次に、第１表示部１１は、ステップＳ６０において、輪郭補正部１３が生成した輪郭補正情報を含む第３画像信号を取得する。また、第２表示部１２は、画像情報供給装置２から第２画像信号を取得する。次に、第１表示部１１および第２表示部１２は、取得した各画像信号に基づいて、画像情報を表示する（ステップＳ７０）。
【００５２】
以上、説明したように、本実施形態の表示装置１０は、輪郭補正部１３を備えている。この輪郭補正部１３は、所定の位置に立体表示される表示対象の奥行き位置に基づいて、第１表示部１１（または、第１表示部１１が備える第１表示面１１０）が有する２次元に配列された複数の画素のうち、表示対象の輪郭部を表示する輪郭画素の画素値を補正する。ここで、第１の画像情報Ｐ１１とは、第１表示部１１及び第２表示部１２に表示する表示対象を両眼視差により所定の位置に立体表示する画像情報のうち第１表示部１１に表示させる画像情報である。一般に表示装置は第１表示面１１０が表示対象を表示するすべての画素の画素値を、表示対象の奥行き位置に基づいて設定することによっても、観察者１が表示対象を立体像ＳＩとして観察することができる画像情報を表示することができる。しかしながら、このように第１表示面１１０が表示対象を表示するすべての画素の画素値と、第２表示面１２０が表示対象を表示するすべての画素の画素値とを精密に対応させなければ、観察者１が表示対象を立体像ＳＩとして観察することができないことがある。
【００５３】
一方、表示装置１０は、第１表示面１１０が表示対象を表示するすべての画素の画素値ではなく、表示対象の輪郭部を表示する画素の画素値を補正する。したがって、表示装置１０は、第１表示面１１０の輪郭部の画素の画素値と、第２表示面１２０の輪郭部に対応する表示対象を表示する画素の画素値とを対応させればよい。つまり、表示装置１０は、第１表示面１１０が表示対象を表示するすべての画素の画素値を補正する場合に比して、補正する画素値を少なくすることができる。したがって、表示装置１０は、第１表示面１１０が表示対象を表示するすべての画素の画素値を補正する場合に比して、表示対象を立体表示するための画素値の補正を簡易にすることができる。
【００５４】
また、本実施形態の表示装置１０において、画素値とは、画素の輝度値であって、輪郭補正部１３は、立体表示される表示対象の奥行き位置に基づいて、輪郭画素の輝度値を補正する。画素値には、輝度値の他に、画素の色相や彩度など様々なパラメータが含まれている。表示装置１０は、この様々なパラメータの中の輝度値を補正することによって、立体表示される表示対象の奥行き位置を設定することができる。これにより、表示装置１０は、輪郭画素の画素値を、様々なパラメータをそれぞれ補正する場合に比して、簡易な構成によって補正することができる。
【００５５】
また、本実施形態の表示装置１０が備える輪郭補正部１３は、立体表示される表示対象の各部の奥行き位置に基づいて、表示対象の各部に対応する輪郭画素の画素毎に画素値を補正する。ここで、上述したように、輪郭画素の画素値とは、当該輪郭画素が表示する画像情報が立体像ＳＩとして観察者１に観察される奥行き位置を設定する値である。例えば、輪郭画素の明るさが明るいほど、当該輪郭画素が表示する画像情報による立体像ＳＩの奥行き位置が（＋Ｚ）方向に変位する。一方、輪郭画素の明るさが暗いほど、当該輪郭画素が表示する画像情報による立体像ＳＩの奥行き位置が（−Ｚ）方向に変位する。つまり、輪郭画素の明るさに応じて、当該輪郭画素が表示する画像情報による立体像ＳＩの奥行き位置が変位する。したがって、輪郭補正部１３は、表示対象の各部に対応する輪郭画素の画素毎に画素値を補正することによって、各画素の奥行き位置を画素毎に設定することができる。これにより、表示装置１０は、輪郭画素のすべての画素値を一律に補正する場合に比して、立体表示される表示対象の奥行き位置を精密に設定することができる。
【００５６】
また、本実施形態の表示装置１０が備える輪郭補正部１３は、輪郭画素の明るさを、第１の画像情報Ｐ１１を構成する各画素のうち輪郭画素以外の非輪郭画素の明るさよりも暗くして、輪郭画素の画素値を補正する。ここで、非輪郭画素の明るさに対して輪郭画素が明るく表示されると、輪郭部と非輪郭部とが分離して観察者１に観察されることがある。つまり、第１表示部１１によって非輪郭画素の明るさに対して輪郭画素が明るく表示されると、輪郭部が目立ってしまい、観察者１が表示対象を立体像ＳＩとして観察されにくくなる場合がある。一方、非輪郭画素の明るさに対して輪郭画素が暗く表示されると、輪郭部と非輪郭部とが分離せずに観察者１に観察される結果、観察者１が表示対象を立体像ＳＩとして観察されやすくなる。つまり、表示装置１０は、輪郭画素の明るさを、非輪郭画素の明るさよりも暗くして輪郭画素の画素値を補正することにより、表示対象ＯＢＪが立体像ＳＩとして観察されにくくなる程度を低減することができる。また、表示装置１０は、画素の明るさが明るくなることに応じて消費電力が上昇するため、非輪郭画素の明るさよりも暗くして輪郭画素の画素値を補正することにより、消費電力を低減することができる。
【００５７】
なお、本実施形態において、輪郭補正部１３が、第１画素値情報と、奥行き位置情報と、輪郭部情報とに基づいて、表示対象ＯＢＪ１の輪郭部を表示する第１表示部１１の各画素の画素値を補正する例について説明したが、これに限られない。例えば、輪郭補正部１３は、輪郭画素の明るさと、第１の画像情報Ｐ１１を構成する各画素のうち輪郭画素以外の非輪郭画素の明るさとに基づいて、輪郭画素の画素値を補正してもよい。具体的には、輪郭補正部１３は、取得した輪郭部情報に基づいて、第１表示面１１０を構成する画素のうち、輪郭部を表示する画素（輪郭画素）と、非輪郭部を表示する画素（非輪郭画素）とを識別する。次に、輪郭補正部１３は、取得した第１画素値情報に基づいて、識別した輪郭画素の明るさ（例えば、輝度値）を算出する。次に、輪郭補正部１３は、取得した第１画素値情報に基づいて、識別した非輪郭画素の明るさ（例えば、輝度値）を算出する。次に、輪郭補正部１３は、算出した輪郭画素の明るさと、非輪郭画素の明るさとの差に基づいて、上述した構成によって生成した輪郭補正情報をさらに補正した第２の輪郭補正情報を生成する。そして、輪郭補正部１３は、生成した第２の輪郭補正情報を、輪郭補正情報として含む第３画像信号を生成する。
【００５８】
これにより、表示装置１０は、輪郭画素と非輪郭画素との明るさ（例えば、輝度）の差を、立体表示が可能な適正な範囲にして（例えば、明るさの差を小さくして）輪郭画素を補正した画僧情報を表示することができる。したがって、表示装置１０は、輪郭画素が非輪郭画素に対して目立たないようにして画像情報を表示することができる。なお、輪郭補正部１３は、輪郭画素および非輪郭画素のうち、互いに隣接する輪郭画素および非輪郭画素の明るさに基づいて、輪郭画素の画素値を補正してもよい。この場合には、輪郭画素と非輪郭画素との明るさ（例えば、輝度）のさらに差を小さくして輪郭画素を補正した画僧情報を表示することができる。したがって、表示装置１０は、輪郭画素が非輪郭画素に対して、さらに目立たないようにして画像情報を表示することができる。
【００５９】
なお、本実施形態において、輪郭補正部１３が、輪郭画素の明るさを、第１の画像情報Ｐ１１を構成する各画素のうち輪郭画素以外の非輪郭画素の明るさよりも暗くして、輪郭画素の画素値を補正する例について説明したが、これに限られない。具体的には、輪郭補正部１３は、輪郭画素の明るさを、第１の画像情報Ｐ１１を構成する各画素のうち輪郭画素以外の非輪郭画素の明るさよりも明るくして、輪郭画素の画素値を補正してもよい。これにより、輪郭補正部１３は、輪郭画素の明るさを非輪郭画素の明るさよりも暗くして設定するだけの場合に比して、輪郭画素の明るさを広範囲に設定することができる。ここで、輪郭画素の明るさは、立体表示させる表示対象の奥行き位置を設定する要素である。したがって、表示装置１０は、輪郭画素の明るさを広範囲に設定することにより、立体表示させる表示対象の奥行き位置を広範囲に設定することができる。つまり、表示装置１０は、輪郭画素の明るさを非輪郭画素の明るさよりも暗くして設定するだけの場合に比して、立体表示させる表示対象の奥行き位置を広範囲に設定することができる。
【００６０】
また、本実施形態において、輪郭補正部１３は、輪郭画素が表示されないようにして、輪郭画素の画素値を補正してもよい。例えば、輪郭補正部１３は、輪郭画素が表示されないように、輪郭画素の明るさを最も暗い値（例えば、ゼロ）に補正してもよい。また、この場合、輪郭補正部１３は、輪郭画素のうち、一部の画素について輪郭画素が表示されないように、輪郭画素の明るさを最も暗い値（例えば、ゼロ）に補正してもよい。これにより、輪郭補正部１３は、輪郭画素の明るさをゼロよりも大きい値だけに設定する場合に比して、輪郭画素の明るさを広範囲に設定することができる。
【００６１】
また、本実施形態の表示装置１０が備える輪郭補正部１３は、第１の画像情報Ｐ１１を補正する例について説明したが、これに限られない。具体的には、輪郭補正部１３は、第１の画像情報Ｐ１１に加えて、第２の画像情報Ｐ１２を補正してもよい。すなわち、輪郭補正部１３は、所定の位置に立体表示される表示対象の奥行き位置に基づいて、第１の画像情報Ｐ１１を構成する各画素のうち表示対象の輪郭部に対応する輪郭画素の画素値を補正する。また、輪郭補正部１３は、第２の画像情報Ｐ１２を構成する各画素のうち表示対象の輪郭部に対応する輪郭画素の画素値を補正する。ここで、第２の画像情報Ｐ１２とは、表示対象を両眼視差により所定の位置に立体表示する画像情報のうち第２表示部１２に表示させる画像情報である。ここで、本実施形態の表示装置１０とは、第１表示面１１０が表示する第１の画像情報Ｐ１１と、第２表示面１２０が表示する第２の画像情報Ｐ１２とが観察者１によって重ねて観察される表示装置である。つまり、観察者１は、第１表示面１１０の明るさと、第２表示面１２０の明るさとを加算した明るさの画像情報を観察する。したがって、第１表示面１１０の画素の明るさと、第２表示面１２０の画素の明るさとをそれぞれ設定することにより、第１表示面１１０の画素の明るさのみを設定する場合に比して、観察者１が観察する画像情報の明るさを広範囲に設定することができる。ここで、輪郭補正部１３は、第１の画像情報Ｐ１１に加えて、第２の画像情報Ｐ１２を補正することにより、第１の画像情報Ｐ１１のみを補正する場合に比して、輪郭部の明るさを広範囲に設定することができる。すなわち、表示装置１０は、輪郭画素の明るさを広範囲に設定することにより、立体表示させる表示対象の奥行き位置を広範囲に設定することができる。つまり、表示装置１０は、第１の画像情報Ｐ１１のみを補正する場合に比して、立体表示させる表示対象の奥行き位置を広範囲に設定することができる。
【００６２】
また、本実施形態の表示装置１０は、（＋Ｚ）方向に第１表示部１１、第２表示部１２の順に、第１表示部１１と第２表示部１２が配置されるが、これに限られない。具体的には、表示装置１０は、（＋Ｚ）方向に第２表示部１２、第１表示部１１の順に、第１表示部１１と第２表示部１２が配置されてもよい。このように構成しても、表示装置１０は、表示対象の立体像ＳＩを表示することができる。つまり、このように構成しても、表示装置１０は、第１表示面１１０が表示対象を表示するすべての画素の画素値を補正する場合に比して、表示対象を立体表示するための画素値の補正を簡易にすることができる。
【００６３】
また、本実施形態の表示装置１０の第１表示部１１および第２表示部１２のうちの少なくとも１つは、他方の表示部に表示される画像に応じた光を透過可能な透過型表示部である。これにより、実施形態の表示装置１０は、第１表示部１１と第２表示部１２とを重ねた状態にして構成することができ、表示装置１０を小型化することができる。
【００６４】
また、本実施形態の表示装置１０は、画像情報供給装置２から供給される第１画像信号と第２画像信号とに基づいて、各画像情報を表示するとして説明したが、これに限られない。具体的には、表示装置１０は、画像情報供給装置２から供給される第１画像情報から、第２画像情報を生成して、供給された第１画像信号と、生成した第２各画像信号とに基づいて、各画像情報を表示してもよい。ここで、第１画像情報と、第２画像情報とは対応する画像情報であるから、表示装置１０は、第１画像情報に含まれる第１画素値情報に基づいて、第２画素値情報を生成することができる。
【００６５】
また、上述した表示装置１０において、第１表示部１１と、第２表示部１２とが平行に配置されている構成を一例として説明したが、これに限られない。例えば、表示装置１０は、第２表示面１２０が表示する第２の画像情報Ｐ１２による第２光束Ｒ１２を透過させるとともに、第１表示面１１０が表示する第１の画像情報Ｐ１１による第１光束Ｒ１１を反射する光学系（例えば、ハーフミラー）を備えていてもよい。これにより、第２表示部１２が光を透過させる透過度によらず、第１の画像情報Ｐ１１と、第２の画像情報Ｐ１２とを重ねた状態にしてＺ軸方向に表示することができる。つまり、表示装置１０は、第２表示部１２を透過型表示部にする必要がなくなるため、第１表示面１１０および第２表示面１２０を同じ表示面によって構成することができる。これにより、表示装置１０は、第１表示面１１０および第２表示面１２０の特性を一致させやすくすることができ、立体表示するための画素値の設定をより簡易にすることができる。また、これにより、表示装置１０は、表示対象を立体表示させる奥行き位置を高精度に設定することができる。
【００６６】
また、表示装置１０は、第１表示部１１と第２表示部１２がいずれも透過型表示部であり、第１表示部１１の（−Ｚ）方向側にバックライトを備えている構成であってもよい。これにより、表示装置１０は、第１表示面１１０および第２表示面１２０の特性を一致させやすくすることができ、立体表示するための画素値の設定をより簡易にすることができる。また、これにより、表示装置１０は、表示対象を立体表示させる奥行き位置を高精度に設定することができる。
【００６７】
また、表示装置１０の第２表示部１２は、第２表示面１２０としての半透過スクリーンに、第２の画像情報Ｐ１２をプロジェクタから投射する構成であってもよい。これにより、表示装置１０は、第２表示面１２０を、例えば、液晶表示装置などを用いる場合に比して薄くすることができる。また、表示装置１０の第１表示部１１も同様に、第１表示面１１０としてのスクリーンに、第１の画像情報Ｐ１１をプロジェクタから投射する構成であってもよい。これにより、表示装置１０は、第１表示面１１０および第２表示面１２０を容易に大型化することができる。
【００６８】
また、表示装置１０は、第１表示部１１と第２表示部１２とがいずれも実像としての光学像を表示する構成について説明したが、これに限られない。例えば、第１表示部１１は、虚像としての画像を表示する構成であってもよい。ここで、実像とは、観察者が表示面を見た場合に、表示面の奥行き位置に表示される像である。また、虚像とは、観察者が表示面を見た場合に、表示面の奥行き位置以外の位置（例えば、観察者と表示面との間の奥行き位置）に表示される像である。これにより、表示装置１０は、第１表示部１１の位置に制約されずに第１の画像情報Ｐ１１の光学像の位置を設定することができる。よって、表示装置１０は、第１表示部１１の位置に制約されずに観察者が認識する立体像ＳＩの位置を設定することができる。また、例えば、第２表示部１２が、虚像としての画像を表示する構成であってもよく、第１表示部１１の場合と同様にして、第２表示部１２の位置に制約されずに観察者が認識する立体像ＳＩの位置を設定することができる。
【００６９】
なお、上述した表示装置１０において、輪郭補正部１３は、第１画素値情報と補正情報とを演算（例えば、減算）して輪郭補正情報を生成する構成を一例として説明したが、これに限られない。輪郭補正部１３は、不図示の記憶部に予め記憶されている様々な奥行き位置に応じた輪郭補正情報を、奥行き位置に基づいて当該記憶部から取得してもよい。このように構成することにより、表示装置１０は、表示対象を立体表示するための画素値の設定を、さらに簡易にすることができる。
【００７０】
以上、本発明の実施形態を図面を参照して詳述してきたが、具体的な構成はこの実施形態に限られるものではなく、本発明の趣旨を逸脱しない範囲で適宜変更を加えることができる。
【００７１】
なお、上記の実施形態における第１表示部１１、第２表示部１２、及び輪郭補正部１３（以下、これらを総称して制御部と記載する）又はこの制御部が備える各部は、専用のハードウェアにより実現されるものであってもよく、また、メモリおよびマイクロプロセッサにより実現させるものであってもよい。
【００７２】
なお、この制御部が備える各部は、メモリおよびＣＰＵ（中央演算装置）により構成され、制御部が備える各部の機能を実現するためのプログラムをメモリにロードして実行することによりその機能を実現させるものであってもよい。
【００７３】
また、制御部が備える各部の機能を実現するためのプログラムをコンピュータ読み取り可能な記録媒体に記録して、この記録媒体に記録されたプログラムをコンピュータシステムに読み込ませ、実行することにより、制御部が備える各部による処理を行ってもよい。なお、ここでいう「コンピュータシステム」とは、ＯＳや周辺機器等のハードウェアを含むものとする。
【００７４】
また、「コンピュータシステム」は、ＷＷＷシステムを利用している場合であれば、ホームページ提供環境（あるいは表示環境）も含むものとする。
また、「コンピュータ読み取り可能な記録媒体」とは、フレキシブルディスク、光磁気ディスク、ＲＯＭ、ＣＤ−ＲＯＭ等の可搬媒体、コンピュータシステムに内蔵されるハードディスク等の記憶装置のことをいう。さらに「コンピュータ読み取り可能な記録媒体」とは、インターネット等のネットワークや電話回線等の通信回線を介してプログラムを送信する場合の通信線のように、短時間の間、動的にプログラムを保持するもの、その場合のサーバやクライアントとなるコンピュータシステム内部の揮発性メモリのように、一定時間プログラムを保持しているものも含むものとする。また上記プログラムは、前述した機能の一部を実現するためのものであってもよく、さらに前述した機能をコンピュータシステムにすでに記録されているプログラムとの組み合わせで実現できるものであってもよい。
【符号の説明】
【００７５】
１０…表示装置、１１…第１表示部、１２…第２表示部、１３…輪郭補正部、１１０…第１表示面、１２０…第２表示面
【図１】
2014090395.tif 000003
【図２】
2014090395.tif 000004
【図３】
2014090395.tif 000005
【図４】
2014090395.tif 000006
【図５】
2014090395.tif 000007
【図６】
2014090395.tif 000008
【図７】
2014090395.tif 000009
【図８】
2014090395.tif 000010
【図９】
2014090395.tif 000011
【図１０】
2014090395.tif 000012
【図１１】
2014090395.tif 000013
【図１２】
2014090395.tif 000014
【図１３】
2014090395.tif 000015
【図１４】
2014090395.tif 000016
【図１５】
2014090395.tif 000017
【図１６】
2014090395.tif 000018